(57)【要約】【課題】ジョブ実行対象ファイルを１つのジョブ実行用アイコンにドラッグアンドドロップするものでありながら、複数の条件でジョブの実行を可能とすることにより、複数のアイコンの作成・表示を不要とした情報処理装置等を提供する。【解決手段】ディレクトリ１０１、１０２、１１１に記憶されているジョブ実行対象のファイル１０１ａ、１０２ａ、１１１ａが、ジョブ実行用アイコン１１０に対してドラッグアンドドロップされたことが検出されると、ジョブ実行対象のファイルから、そのファイルが記憶されているディレクトリが検出される。実行条件記憶手段１５に記憶され、検出されたディレクトリに対応するジョブ実行条件が、ジョブ実行対象のファイルに設定され、前記設定されたジョブ実行条件でジョブ実行対象ファイルについてのジョブが実行されるように、制御手段１１により、ジョブ実行装置２へジョブ実行指示が出力される。【選択図】図３
2009146317.tif 000002
【特許請求の範囲】
【請求項１】
ジョブ実行対象のファイルを記憶する１個または複数個のディレクトリを有することの可能なファイル記憶手段と、
前記ディレクトリに対応して予め設定されたジョブ実行条件を記憶することの可能な実行条件記憶手段と、
ジョブ実行装置へジョブの実行を指示する処理であることを示すジョブ実行用アイコンを表示可能な表示手段と、
前記ディレクトリに記憶されているジョブ実行対象のファイルが、前記アイコンに対してドラッグアンドドロップされたことを検出するドラッグアンドドロップ検出手段と、
前記ドラッグアンドドロップされたことが検出された場合には、前記ジョブ実行対象のファイルから、そのファイルが記憶されているディレクトリを検出するディレクトリ検出手段と、
前記実行条件記憶手段に記憶され、前記ディレクトリ検出手段により検出されたディレクトリに対応するジョブ実行条件を、前記ジョブ実行対象のファイルに設定する設定手段と、
前記設定されたジョブ実行条件でジョブ実行対象ファイルについてのジョブが実行されるように、ジョブ実行装置へジョブ実行指示を出力する制御手段と、
を備えたことを特徴とする情報処理装置。
【請求項２】
前記ディレクトリに対応するジョブ実行条件変更情報を記憶することの可能な変更情報記憶手段と、
前記変更情報記憶手段に記憶され、前記検出手段により検出されたディレクトリに対応する変更情報に基づいて、前記設定されたジョブ実行条件を変更する変更手段と、
を備え、
前記制御手段は、変更手段による変更後のジョブ実行条件でジョブが実行されるように、ジョブ実行指示を出力する請求項１に記載の情報処理装置。
【請求項３】
前記ジョブ実行条件変更情報は、ジョブ実行対象のファイルと同一のディレクトリ内に、ジョブ実行条件変更情報を含むフォルダ名の設定変更用フォルダとして記憶されるとともに、
ユーザの指示により、前記ジョブ実行対象のファイルを前記設定変更用フォルダにコピーするコピー手段を備え、
前記設定変更用フォルダ内にコピーされたファイルが前記アイコンに対してドラッグアンドドロップされることにより、前記変更手段はフォルダの名称から変更情報を読み取ってジョブ実行条件を変更する請求項２に記載の情報処理装置。
【請求項４】
前記制御手段によるジョブ実行指示の出力後に、前記設定変更用フォルダにコピーされたファイルを削除する削除手段を備えている請求項３に記載の情報処理装置。
【請求項５】
前記ジョブ実行条件は、ジョブ実行対象のファイルと同一のディレクトリ内に記憶されたジョブ実行条件設定用ファイルに記載されており、
前記設定手段は、前記ディレクトリ検出手段により検出されたジョブ実行対象のファイルと同じディレクトリから、前記ジョブ実行条件設定用ファイルを読み取ることによりジョブ実行条件を設定する請求項１に記載の情報処理装置。
【請求項６】
ジョブ実行条件の変更情報を記憶することの可能な変更情報記憶手段と、
ユーザの指示により、前記変更情報を前記ディレクトリにコピーするコピー手段と、
前記変更情報がコピーされた状態で、ディレクトリ内のジョブ実行対象のファイルが前記アイコンに対してドラッグアンドドロップされたことが検出されたときに、前記ディレクトリ検出手段により検出されたディレクトリ内の前記変更情報を読み取ることにより、前記設定手段により設定されたジョブ実行条件を、前記変更情報に従って変更する変更手段と、
を備え、
前記制御手段は、変更手段による変更後のジョブ実行条件でジョブが実行されるように、ジョブ実行指示を出力する請求項５に記載の情報処理装置。
【請求項７】
前記制御手段によるジョブ実行指示の出力後に、前記ディレクトリにコピーされた変更情報を削除する削除手段を備えている請求項６に記載の情報処理装置。
【請求項８】
前記ジョブは印刷ジョブである請求項１〜７のいずれかに記載の情報処理装置。
【請求項９】
ファイル記憶手段に形成された１個または複数個のディレクトリに記憶されているジョブ実行対象のファイルが、表示手段に表示されかつジョブ実行装置へジョブの実行を指示する処理であることを示すジョブ実行用アイコンに対してドラッグアンドドロップされたことを検出するステップと、
前記ドラッグアンドドロップされたことが検出された場合には、前記ジョブ実行対象のファイルから、そのファイルが記憶されているディレクトリを検出するステップと、
前記ディレクトリに対応して予め設定され実行条件記憶手段に記憶されたジョブ実行条件であって、前記検出されたディレクトリに対応するジョブ実行条件を、前記ジョブ実行対象のファイルに設定するステップと、
前記設定されたジョブ実行条件でジョブ実行対象ファイルについてのジョブが実行されるように、ジョブ実行装置へジョブ実行指示を出力するステップと、
を備えたことを特徴とするジョブの実行指示方法。
【請求項１０】
ファイル記憶手段に形成された１個または複数個のディレクトリに記憶されているジョブ実行対象のファイルが、表示手段に表示されかつジョブ実行装置へジョブの実行を指示する処理であることを示すジョブ実行用アイコンに対してドラッグアンドドロップされたことを検出するステップと、
前記ドラッグアンドドロップされたことが検出された場合には、前記ジョブ実行対象のファイルから、そのファイルが記憶されているディレクトリを検出するステップと、
前記ディレクトリに対応して予め設定され実行条件記憶手段に記憶されたジョブ実行条件であって、前記検出されたディレクトリに対応するジョブ実行条件を、前記ジョブ実行対象のファイルに設定するステップと、
前記設定されたジョブ実行条件でジョブ実行対象ファイルについてのジョブが実行されるように、ジョブ実行装置へジョブ実行指示を出力するステップと、
をコンピュータに実行させるためのジョブの実行指示プログラム。
【請求項１１】
前記ディレクトリに対応するジョブ実行条件変更情報を記憶することの可能な変更情報記憶手段に記憶され、前記検出ステップにより検出されたディレクトリに対応する変更情報に基づいて、前記設定されたジョブ実行条件を変更するステップをさらにコンピュータに実行させ、
前記制御ステップでは、変更ステップによる変更後のジョブ実行条件でジョブが実行されるように、ジョブ実行指示を出力する処理をコンピュータに実行させる請求項１０に記載のジョブの実行指示プログラム。
【請求項１２】
前記ジョブ実行条件変更情報は、ジョブ実行対象のファイルと同一のディレクトリ内に、ジョブ実行条件変更情報を含むフォルダ名の設定変更用フォルダとして記憶されるとともに、
ユーザの指示により、前記ジョブ実行対象のファイルを前記設定変更用フォルダにコピーするステップをさらにコンピュータに実行させ、
前記設定変更用フォルダ内にコピーされたファイルが前記アイコンに対してドラッグアンドドロップされることにより、前記変更ステップではフォルダの名称から変更情報を読み取ってジョブ実行条件を変更する処理をコンピュータに実行させる請求項１１に記載のジョブの実行指示プログラム。
【請求項１３】
前記制御ステップによるジョブ実行指示の出力後に、前記設定変更用フォルダにコピーされたファイルを削除するステップをさらにコンピュータに実行させる請求項１２に記載のジョブの実行指示プログラム。
【請求項１４】
前記ジョブ実行条件は、ジョブ実行対象のファイルと同一のディレクトリ内に記憶されたジョブ実行条件設定用ファイルに記載されており、
前記設定ステップでは、前記ディレクトリ検出ステップにより検出されたジョブ実行対象のファイルと同じディレクトリから、前記ジョブ実行条件設定用ファイルを読み取ることによりジョブ実行条件を設定する処理をコンピュータに実行させる請求項１０に記載のジョブの実行指示プログラム。
【請求項１５】
ユーザの指示により、変更情報記憶手段に記憶されたジョブ実行条件の変更情報を前記ディレクトリにコピーするステップと、
前記変更情報がコピーされた状態で、ディレクトリ内のジョブ実行対象のファイルが前記アイコンに対してドラッグアンドドロップされたことが検出されたときに、前記ディレクトリ検出ステップにより検出されたディレクトリ内の前記変更情報を読み取ることにより、前記設定ステップにより設定されたジョブ実行条件を、前記変更情報に従って変更するステップと、
をさらにコンピュータに実行させ、
前記制御ステップでは、変更ステップによる変更後のジョブ実行条件でジョブが実行されるように、ジョブ実行指示を出力する処理をコンピュータに実行させる請求項１４に記載のジョブの実行指示プログラム。
【請求項１６】
前記制御ステップにおけるジョブ実行指示の出力後に、前記ディレクトリにコピーされた変更情報を削除するステップをさらにコンピュータに実行させる請求項１５に記載のジョブの実行指示プログラム。
【発明の詳細な説明】
【技術分野】
【０００１】
この発明は、画像形成装置等のジョブ実行装置にジョブの実行指示を出力するパーソナルコンピュータ（以下パソコンという）等の情報処理装置、ジョブの実行指示方法及び同指示プログラムに関する。
【背景技術】
【０００２】
従来より、設定された印刷条件で印刷装置へ印刷ジョブの実行を指示する処理であることを示す印刷アイコンを、表示手段の画面上に表示しておき、ユーザが印刷対象ファイルを前記表示された印刷アイコンへドラッグアンドドロップすることにより、前記ファイルの印刷指示を印刷装置に出力して、印刷を実行させる技術が知られている（例えば特許文献１〜３）。また、特許文献３には、印刷フォルダアイコンの下にサブフォルダーとして階層的に複数の印刷フォルダアイコンを設け、これらのアイコンをツリー構造で表示することも記載されている。
【特許文献１】特開２００４−１１０７４１号公報
【特許文献２】特開２００６−１２００４１号公報
【特許文献３】特開２００６−１９５５６２号公報
【発明の開示】
【発明が解決しようとする課題】
【０００３】
しかし、印刷対象ファイルを印刷アイコンにドラッグアンドドロップすることにより印刷を実行する従来の技術では、異なる印刷条件で印刷を行おうとすると、異なる印刷条件をそれぞれ設定した複数の印刷アイコンを作成し、表示しなければならず、設定したい印刷条件が増えるに従い印刷アイコンの作成作業が面倒であるのみならず、多数の印刷アイコンが画面上に表示されることになり、その中から所望の印刷アイコンを選択するのでは、選択ミスも生じやすいという問題があった。
【０００４】
このような問題は、印刷ジョブの場合のみならず、例えば画像データを他の外部装置へ送信するジョブ等、印刷ジョブ以外のジョブを実行する場合にも同様に生じていた。
【０００５】
この発明は、このような問題を解決するためになされたものであって、ジョブ実行対象ファイルを１つのジョブ実行用アイコンにドラッグアンドドロップするものでありながら、複数の条件でジョブの実行を可能とすることにより、複数のアイコンの作成・表示を不要とした情報処理装置、ジョブの実行指示方法及び同指示プログラムを提供することを課題とする。
【課題を解決するための手段】
【０００６】
上記課題は、以下の手段によって達成される。
（１）ジョブ実行対象のファイルを記憶する１個または複数個のディレクトリを有することの可能なファイル記憶手段と、前記ディレクトリに対応して予め設定されたジョブ実行条件を記憶することの可能な実行条件記憶手段と、ジョブ実行装置へジョブの実行を指示する処理であることを示すジョブ実行用アイコンを表示可能な表示手段と、前記ディレクトリに記憶されているジョブ実行対象のファイルが、前記アイコンに対してドラッグアンドドロップされたことを検出するドラッグアンドドロップ検出手段と、前記ドラッグアンドドロップされたことが検出された場合には、前記ジョブ実行対象のファイルから、そのファイルが記憶されているディレクトリを検出するディレクトリ検出手段と、前記実行条件記憶手段に記憶され、前記ディレクトリ検出手段により検出されたディレクトリに対応するジョブ実行条件を、前記ジョブ実行対象のファイルに設定する設定手段と、前記設定されたジョブ実行条件でジョブ実行対象ファイルについてのジョブが実行されるように、ジョブ実行装置へジョブ実行指示を出力する制御手段と、を備えたことを特徴とする情報処理装置。
（２）前記ディレクトリに対応するジョブ実行条件変更情報を記憶することの可能な変更情報記憶手段と、前記変更情報記憶手段に記憶され、前記検出手段により検出されたディレクトリに対応する変更情報に基づいて、前記設定されたジョブ実行条件を変更する変更手段と、を備え、前記制御手段は、変更手段による変更後のジョブ実行条件でジョブが実行されるように、ジョブ実行指示を出力する前項１に記載の情報処理装置。
（３）前記ジョブ実行条件変更情報は、ジョブ実行対象のファイルと同一のディレクトリ内に、ジョブ実行条件変更情報を含むフォルダ名の設定変更用フォルダとして記憶されるとともに、ユーザの指示により、前記ジョブ実行対象のファイルを前記設定変更用フォルダにコピーするコピー手段を備え、前記設定変更用フォルダ内にコピーされたファイルが前記アイコンに対してドラッグアンドドロップされることにより、前記変更手段はフォルダの名称から変更情報を読み取ってジョブ実行条件を変更する前項２に記載の情報処理装置。
（４）前記制御手段によるジョブ実行指示の出力後に、前記設定変更用フォルダにコピーされたファイルを削除する削除手段を備えている前項３に記載の情報処理装置。
（５）前記ジョブ実行条件は、ジョブ実行対象のファイルと同一のディレクトリ内に記憶されたジョブ実行条件設定用ファイルに記載されており、前記設定手段は、前記ディレクトリ検出手段により検出されたジョブ実行対象のファイルと同じディレクトリから、前記ジョブ実行条件設定用ファイルを読み取ることによりジョブ実行条件を設定する前項１に記載の情報処理装置。
（６）ジョブ実行条件の変更情報を記憶することの可能な変更情報記憶手段と、ユーザの指示により、前記変更情報を前記ディレクトリにコピーするコピー手段と、前記変更情報がコピーされた状態で、ディレクトリ内のジョブ実行対象のファイルが前記アイコンに対してドラッグアンドドロップされたことが検出されたときに、前記ディレクトリ検出手段により検出されたディレクトリ内の前記変更情報を読み取ることにより、前記設定手段により設定されたジョブ実行条件を、前記変更情報に従って変更する変更手段と、を備え、前記制御手段は、変更手段による変更後のジョブ実行条件でジョブが実行されるように、ジョブ実行指示を出力する前項５に記載の情報処理装置。
（７）前記制御手段によるジョブ実行指示の出力後に、前記ディレクトリにコピーされた変更情報を削除する削除手段を備えている前項６に記載の情報処理装置。
（８）前記ジョブは印刷ジョブである前項１〜７のいずれかに記載の情報処理装置。
（９）ファイル記憶手段に形成された１個または複数個のディレクトリに記憶されているジョブ実行対象のファイルが、表示手段に表示されかつジョブ実行装置へジョブの実行を指示する処理であることを示すジョブ実行用アイコンに対してドラッグアンドドロップされたことを検出するステップと、前記ドラッグアンドドロップされたことが検出された場合には、前記ジョブ実行対象のファイルから、そのファイルが記憶されているディレクトリを検出するステップと、前記ディレクトリに対応して予め設定され実行条件記憶手段に記憶されたジョブ実行条件であって、前記検出されたディレクトリに対応するジョブ実行条件を、前記ジョブ実行対象のファイルに設定するステップと、前記設定されたジョブ実行条件でジョブ実行対象ファイルについてのジョブが実行されるように、ジョブ実行装置へジョブ実行指示を出力するステップと、を備えたことを特徴とするジョブの実行指示方法。
（１０）ファイル記憶手段に形成された１個または複数個のディレクトリに記憶されているジョブ実行対象のファイルが、表示手段に表示されかつジョブ実行装置へジョブの実行を指示する処理であることを示すジョブ実行用アイコンに対してドラッグアンドドロップされたことを検出するステップと、前記ドラッグアンドドロップされたことが検出された場合には、前記ジョブ実行対象のファイルから、そのファイルが記憶されているディレクトリを検出するステップと、前記ディレクトリに対応して予め設定され実行条件記憶手段に記憶されたジョブ実行条件であって、前記検出されたディレクトリに対応するジョブ実行条件を、前記ジョブ実行対象のファイルに設定するステップと、前記設定されたジョブ実行条件でジョブ実行対象ファイルについてのジョブが実行されるように、ジョブ実行装置へジョブ実行指示を出力するステップと、をコンピュータに実行させるためのジョブの実行指示プログラム。
（１１）前記ディレクトリに対応するジョブ実行条件変更情報を記憶することの可能な変更情報記憶手段に記憶され、前記検出ステップにより検出されたディレクトリに対応する変更情報に基づいて、前記設定されたジョブ実行条件を変更するステップをさらにコンピュータに実行させ、前記制御ステップでは、変更ステップによる変更後のジョブ実行条件でジョブが実行されるように、ジョブ実行指示を出力する処理をコンピュータに実行させる前項１０に記載のジョブの実行指示プログラム。
（１２）前記ジョブ実行条件変更情報は、ジョブ実行対象のファイルと同一のディレクトリ内に、ジョブ実行条件変更情報を含むフォルダ名の設定変更用フォルダとして記憶されるとともに、ユーザの指示により、前記ジョブ実行対象のファイルを前記設定変更用フォルダにコピーするステップをさらにコンピュータに実行させ、前記設定変更用フォルダ内にコピーされたファイルが前記アイコンに対してドラッグアンドドロップされることにより、前記変更ステップではフォルダの名称から変更情報を読み取ってジョブ実行条件を変更する処理をコンピュータに実行させる前項１１に記載のジョブの実行指示プログラム。
（１３）前記制御ステップによるジョブ実行指示の出力後に、前記設定変更用フォルダにコピーされたファイルを削除するステップをさらにコンピュータに実行させる前項１２に記載のジョブの実行指示プログラム。
（１４）前記ジョブ実行条件は、ジョブ実行対象のファイルと同一のディレクトリ内に記憶されたジョブ実行条件設定用ファイルに記載されており、前記設定ステップでは、前記ディレクトリ検出ステップにより検出されたジョブ実行対象のファイルと同じディレクトリから、前記ジョブ実行条件設定用ファイルを読み取ることによりジョブ実行条件を設定する処理をコンピュータに実行させる前項１０に記載のジョブの実行指示プログラム。
（１５）ユーザの指示により、変更情報記憶手段に記憶されたジョブ実行条件の変更情報を前記ディレクトリにコピーするステップと、前記変更情報がコピーされた状態で、ディレクトリ内のジョブ実行対象のファイルが前記アイコンに対してドラッグアンドドロップされたことが検出されたときに、前記ディレクトリ検出ステップにより検出されたディレクトリ内の前記変更情報を読み取ることにより、前記設定ステップにより設定されたジョブ実行条件を、前記変更情報に従って変更するステップと、をさらにコンピュータに実行させ、前記制御ステップでは、変更ステップによる変更後のジョブ実行条件でジョブが実行されるように、ジョブ実行指示を出力する処理をコンピュータに実行させる前項１４に記載のジョブの実行指示プログラム。
（１６）前記制御ステップにおけるジョブ実行指示の出力後に、前記ディレクトリにコピーされた変更情報を削除するステップをさらにコンピュータに実行させる前項１５に記載のジョブの実行指示プログラム。
【発明の効果】
【０００７】
前項（１）に記載の発明によれば、ディレクトリに記憶されているジョブ実行対象のファイルが、ジョブ実行用アイコンに対してドラッグアンドドロップされたことが検出されると、ジョブ実行対象のファイルから、そのファイルが記憶されているディレクトリが検出される。そして、実行条件記憶手段に記憶され、検出されたディレクトリに対応するジョブ実行条件が、ジョブ実行対象のファイルに設定され、前記設定されたジョブ実行条件でジョブ実行対象ファイルについてのジョブが実行されるように、ジョブ実行装置へジョブ実行指示が出力される。つまり、複数の異なるジョブ実行条件でジョブを実行させる場合には、複数のディレクトリにジョブ実行対象のファイルを記憶しておくと共に、各ディレクトリに対応するジョブ実行条件を予め実行条件記憶手段に記憶させておけば、アイコンにドラッグアンドドロップされたファイルからディレクトリが検出され、そのディレクトリに対応する実行条件が自動的に設定されて、ジョブが実行されることになる。従って、ジョブ実行用のアイコンは１つで良く、実行条件の異なる複数のジョブ実行用アイコンの作成・表示が不要となる。しかも、複数のジョブ実行用アイコンから所望のものを選択する必要はないから、選択ミスもなくなる。
【０００８】
前項（２）に記載の発明によれば、ジョブ実行条件変更情報に基づいて、設定されたジョブ実行条件を変更することができる。
【０００９】
前項（３）に記載の発明によれば、設定変更用フォルダ内にコピーされたファイルがアイコンに対してドラッグアンドドロップされることにより、フォルダの名称から変更情報が読み取られてジョブ実行条件が変更される。
【００１０】
前項（４）に記載の発明によれば、ジョブ実行指示の出力後に、設定変更用フォルダにコピーされたファイルが削除されるから、設定変更用フォルダをファイルコピー前の元の状態に復帰させることができる。
【００１１】
前項（５）に記載の発明によれば、ディレクトリ検出手段により検出されたジョブ実行対象のファイルと同じディレクトリから、ジョブ実行条件設定用ファイルに記述されたジョブ実行条件で、ジョブを実行させることができる。
【００１２】
前項（６）に記載の発明によれば、ディレクトリ検出手段により検出されたディレクトリ内の変更情報を読み取ることにより、設定されたジョブ実行条件を前記変更情報に従って確実に変更することができる。
【００１３】
前項（７）に記載の発明によれば、ジョブ実行指示の出力後に、ディレクトリにコピーされた変更情報が削除されるから、ディレクトリをコピー前の元の状態に復帰させることができる。
【００１４】
前項（８）に記載の発明によれば、印刷用アイコンが１つであっても、この印刷用アイコンに対して、異なるディレクトリの印刷対象ファイルをドラッグアンドドロップすることにより、異なる印刷条件で印刷ジョブを実行させることができる。
【００１５】
前項（９）に記載の発明によれば、１つのジョブ実行用アイコンに対して、異なるディレクトリのジョブ実行対象ファイルをドラッグアンドドロップすることにより、異なる実行条件でジョブを実行させることができ、実行条件の異なる複数のジョブ実行用アイコンの作成・表示が不要となる。
【００１６】
前項（１０）に記載の発明によれば、１つのジョブ実行用アイコンに対して、異なるディレクトリのファイルをドラッグアンドドロップすることにより、異なるジョブ実行指示をジョブ実行装置へ出力する処理を、コンピュータに実行させることができる。
【００１７】
前項（１１）に記載の発明によれば、ジョブ実行条件変更情報に基づいて、設定されたジョブ実行条件を変更する処理を、コンピュータに実行させることができる。
【００１８】
前項（１２）に記載の発明によれば、設定変更用フォルダ内にコピーされたファイルがアイコンに対してドラッグアンドドロップされることにより、フォルダの名称から変更情報を読み取ってジョブ実行条件を変更する処理を、コンピュータに実行させることができる。
【００１９】
前項（１３）に記載の発明によれば、ジョブ実行指示の出力後に、設定変更用フォルダにコピーされたファイルを削除して、設定変更用フォルダをファイルコピー前の元の状態に復帰させる処理を、コンピュータに実行させることができる。
【００２０】
前項（１４）に記載の発明によれば、ディレクトリ検出ステップにより検出されたジョブ実行対象のファイルと同じディレクトリから、ジョブ実行条件設定用ファイルに記述されたジョブ実行条件でジョブを実行する処理をコンピュータに実行させることができる。
【００２１】
前項（１５）に記載の発明によれば、ディレクトリ検出ステップにより検出されたディレクトリ内の変更情報を読み取ることにより、設定されたジョブ実行条件を前記変更情報に従って変更する処理を、コンピュータに実行させることができる。
【００２２】
前項（１６）に記載の発明によれば、ジョブ実行指示の出力後に、ディレクトリにコピーされた変更情報を削除して、ディレクトリをコピー前の元の状態に復帰させる処理を、コンピュータに実行させることができる。
【発明を実施するための最良の形態】
【００２３】
次に、この発明の一実施形態を図面に基づいて説明する。
【００２４】
図１は、この発明の一実施形態に係る情報処理装置が用いられたジョブ実行システムの構成図である。このシステムは、ネットワーク３を介して相互に接続された情報処理装置１と、多機能デジタル複合機であるＭＦＰ（Multi Function Peripherals）からなるジョブ実行装置としての画像形成装置２とを備えている。
【００２５】
図２は、前記情報処理装置１の構成を示すブロック図である。この実施形態では、情報処理装置１はパソコンによって構成されている。また、情報処理装置１からの指示によって実行されるジョブが印刷ジョブである場合について説明する。
【００２６】
図２に示すように、情報処理装置１は、ＣＰＵ１１、ＲＯＭ１２、ＲＡＭ１３、表示部１４、記憶部１５、キー入力部１６、マウス１７、通信インターフェース部（通信Ｉ/F）１８及びＣＤ−ＲＯＭドライブ１９等を備え、システムバス２０を介して互いに接続されている。
【００２７】
ＣＰＵ１１は、ＲＯＭ１２に保存されているプログラムを実行することにより、情報処理装置１の全体を統括的に制御する。この実施形態では、記憶部１５が有する１個または複数個のディレクトリに記憶されている印刷対象ファイルが、表示部１４に表示された印刷実行用アイコン（以下、単に印刷アプリアイコンともいう）に対して、ドラッグアンドドロップされたことを検出したり、ドラッグアンドドロップが検出された場合には、印刷対象ファイルから、そのファイルが記憶されているディレクトリを検出したり、検出されたディレクトリに対応する印刷実行条件を印刷対象ファイルに設定したり、設定された印刷実行条件を変更したり、設定されあるいは変更された印刷実行条件で印刷対象ファイルについての印刷が実行されるように、画像形成装置２に印刷実行指示を出力する等の動作を行うが、詳しくは後述する。
【００２８】
ＲＯＭ１２は、ＣＰＵ１１が実行するためのプログラムやその他のデータを保存する記憶媒体である。
【００２９】
ＲＡＭ１３は、ＣＰＵ１１が動作用プログラムに従って動作する際の作業領域を提供する記憶媒体である。
【００３０】
表示部１４は、ＣＲＴや液晶表示装置等からなり、各種のメッセージ及びユーザに対する入力受付画面、選択画面等を表示したり、ユーザの作成文書等を表示したりする。この実施形態では、印刷の実行を指示する処理であることを示す前述の印刷アプリアイコン等も表示する。
【００３１】
記憶部１５は、ハードディスク等の記憶媒体からなり、各種のアプリケーションプログラムやデータ等を保存する。
【００３２】
キー入力部１６及びマウス１７は、ユーザによる入力操作に用いられる。
【００３３】
通信インターフェース部（通信Ｉ/Ｆ）１８は、画像形成装置２や他の外部機器との間で、ネットワーク３を介して、データの送受信を行う通信手段として機能する。この実施形態では、画像形成装置２による印刷対象ファイルの印刷を実行させるために、印刷コマンド及び設定された印刷実行条件とともに、前記ファイルが画像形成装置２へ送信される。
【００３４】
ＣＤ―ＲＯＭドライブ１９は、ＣＤ−ＲＯＭを駆動するものである。
【００３５】
図３は、図２の情報処理装置１を用いてユーザが印刷対象ファイルの印刷を行う方法、及びそのときの情報処理装置１の動作を説明するための図である。
【００３６】
図３に示すように、記憶部１５のデータ記憶領域（図３では「Local Disk(C：)と記されている）には、印刷対象ファイルが記憶された１個または複数個のディレクトリが設けられている。この例では、「Ｃ：￥日報」というディレクトリ情報で特定されるディレクトリ１０１と、「Ｃ：￥仕様書」というディレクトリ情報で特定されるディレクトリ１０２が設けられ、ディレクトリ１０１には印刷対象ファイル１０１ａである「日報１．pdf」「日報２．pdf」「日報３．pdf」が、ディレクトリ１０２には印刷対象ファイル１０２ａである「仕様書１．pdf」「仕様書２．pdf」「仕様書３．pdf」がそれぞれ記憶されている。
【００３７】
また、ディレクトリ１０１内には、下層フォルダとして、設定された印刷実行条件を変更するための設定変更用フォルダ１０１１、１０１２が設けられている。これらの設定変更用フォルダ１０１１、１０１２には、印刷実行条件の変更情報を含んだフォルダ名が付けられている。図３の例ではそれぞれ「*** staple on」「*** punch on」という名称が付されている。なお、「*** staple on」とは、ステープル処理を行うように印刷実行条件を変更することを、「*** punch on」とはパンチ処理を行うように印刷実行条件を変更することを、それぞれ意味している。
【００３８】
ここで、下層フォルダ１０１１、１０１２の名称の先頭に「***」の文字列を付す理由は、設定変更用フォルダであることを示すためであり、また「***」の文字列に続く文字列（図３の例では「 staple on」等）を、ディレクトリの名称として使用することができるようにするためでもある。
【００３９】
さらに記憶部１５には、各ディレクトリ１０１、１０２に対応して予め設定された印刷実行条件が、設定情報として記憶されている。例えば、図３に示すように、設定名称「日報」の設定情報２００については、印刷実行条件としてステープル「オフ」が設定され、設定ディレクトリはディレクトリ１０１であることが示されている。また、設定名称「仕様書」の設定情報２０１については、、印刷実行条件としてパンチ「オフ」が設定され、設定ディレクトリはディレクトリ１０２であることが示されている。
【００４０】
ユーザが所望の印刷対象ファイルを印刷する場合は、ディレクトリに格納されている印刷対象ファイルのアイコン（表示部１４における表示形態によっては、ファイル名を示す文字列等の場合があるが、そのような場合も含めて「アイコン」と称するものとする）を選択して、印刷アプリアイコン１１０にドラッグアンドドロップする。ＣＰＵ１１は、ドラッグアンドドロップされたことを検出すると、ドラッグアンドドロップされたファイルの格納先のディレクトリを検出する。
【００４１】
例えば、図３の矢印Ａのように、「Ｃ：￥日報」のディレクトリ１０１に格納されている印刷対象ファイル「日報１．pdf」１０１ａがドラッグアンドドロップされたときには、ファイル１０１ａの格納先を示すディレクトリ情報「Ｃ：￥日報」から、ディレクトリ１０１であることを検出する。
【００４２】
検出後、ＣＰＵ１１は、前記設定情報２００、２０１の中の設定ディレクトリと前記検出された「Ｃ：￥日報」のディレクトリ１０１とを比較して、一致するものを検索し、一致する設定ディレクトリを有する設定情報に規定された印刷実行条件を、ドラッグアンドドロップされた印刷対象ファイル「日報１．pdf」１０１ａに設定する。なお、一致するディレクトリが存在しなかった場合には、デフォルトの印刷実行条件を設定するか、画面上にダイアログを開いてユーザに設定させる。
【００４３】
そして、ＣＰＵ１０１は、設定された印刷実行条件で印刷対象ファイル１０１ａについての印刷ジョブが実行されるように、画像形成装置２へ印刷実行指示を出力する。
【００４４】
また、ユーザが印刷実行条件を変更して印刷したい場合には、次のようにする。例えば、印刷対象ファイル「日報１．pdf」に対応する設定情報２００に規定されているステープル処理を「オフ」から「オン」に変更したい場合には、ユーザは図３に示すように、まず印刷対象ファイル「日報１．pdf」１０１ａを「*** staple on」という下層フォルダ１０１１にコピーする。
【００４５】
次いで、コピーされた下層フォルダ１０１１内の印刷対象ファイル１０１ａを、図３の矢印Ｂのように、印刷アプリアイコン１１０にドラッグアンドドロップする。
【００４６】
ＣＰＵ１０１は、ファイル１０１ａがドラッグアンドドロップされたことを検出すると、ドラッグアンドドロップされたファイル１０１ａの格納先のディレクトリ１０１を検出する。この例では、ファイル１０１ａの格納先を示すディレクトリ情報である「Ｃ：￥日報￥*** staple on」から、「Ｃ：￥日報」のディレクトリ１０１であることを検出する。
【００４７】
検出後、ＣＰＵ１１は、前記設定情報２００、２０１の中の設定ディレクトリと前記検出された「Ｃ：￥日報」のディレクトリ１０１とを比較して、一致するものを検索し、一致する設定ディレクトリを有する設定情報に規定された印刷実行条件を、ドラッグアンドドロップされた印刷対象ファイル１０１ａに設定する。
【００４８】
次に、ディレクトリ情報に含まれる「*** staple on」というフォルダ名から、前記設定された印刷実行条件のうち、ステープル処理を「オン」に変更し、画像形成装置２に対して印刷実行指示を出力する。
【００４９】
なお、印刷実行指示の出力後は、設定変更用フォルダ１０１１にコピーされた印刷対象ファイル１０１ａは、ＣＰＵ１１により自動的に削除される。この削除処理により、設定変更用フォルダ１０１１をファイルコピー前の元の状態に復帰させることができる。
【００５０】
なお、実行条件の変更中に、設定不能な状態（禁則）が発生した場合には、表示部１４の画面にダイアログを表示し、設定を無効にするか印刷を中止するかをユーザに選択させるようになっている。
【００５１】
また、設定変更用フォルダの下層に、さらに設定変更用フォルダを作成しても良い。例えば、図４に示すように、設定変更用フォルダ１０１１の下層フォルダとして、「*** punch off」という名称のフォルダ１０１３が作成されている。「*** punch off」はパンチ処理を行わないように印刷実行条件を変更することを意味している。
【００５２】
フォルダ１０１３の用い方は次の通りである。即ち、例えばディレクトリ１０１に格納されている印刷対象ファイル１０１ａについての印刷実行条件が、ステープル処理：オフ、パンチ処理：オンである場合に、ユーザがステープル処理：オン、パンチ処理：オフに変更して印刷対象ファイル１０１ａを印刷したい場合、ユーザは、図４に示すように、まずディレクトリ１０１の印刷対象ファイル１０１ａを「*** punch off」という下層フォルダ１０１３にコピーする。
【００５３】
次いで、コピーされた下層フォルダ１０１３内の印刷対象ファイル１０１ａを、印刷アプリアイコン１１０にドラッグアンドドロップする。
【００５４】
ＣＰＵ１０１は、ファイルがドラッグアンドドロップされたことを検出すると、ドラッグアンドドロップされたファイルの格納先のディレクトリを検出する。この例では、ファイルのディレクトリ情報である「Ｃ：￥日報￥*** staple on￥*** punch off」から、「Ｃ：￥日報」のディレクトリ１０１であることを検出する。
【００５５】
検出後、ＣＰＵ１１は、前記設定情報２００、２０１の中の設定ディレクトリと前記検出された「Ｃ：￥日報」のディレクトリ１０１とを比較して、一致するものを検索し、一致する設定ディレクトリを有する設定情報に規定された印刷実行条件を、ドラッグアンドドロップされた印刷対象ファイル１０１ａに設定する。
【００５６】
次に、ファイルのディレクトリ情報に含まれる「*** staple on」「*** punch off」というフォルダ名から、前記設定された印刷実行条件のうち、ステープル処理を「オン」に、パンチ処理をオフにそれぞれ変更し、画像形成装置２に対して印刷実行指示を出力する。
【００５７】
なお、下層フォルダ１０１３にさらに下層フォルダを形成して、３個以上の設定変更指示を同時に付与するものとしても良い。
【００５８】
図５は、図３で説明した方法でユーザが印刷対象ファイルの印刷を行うときの情報処理装置１の動作を示すフローチャートである。この動作は、ＣＰＵ１１が記憶部１５あるいはＲＯＭ１２に記憶されている印刷用アプリケーションプログラムに従って動作することにより、実行される。
【００５９】
ステップＳ０１で、印刷対象ファイル１０１ａのアイコンが、印刷アプリアイコン１１０にドラッグアンドドロップされたことを検出すると、ステップＳ０２で、ドロップされたファイル１０１ａが格納されているディレクトリ１０１を検出する。
【００６０】
次いで、ステップＳ０３では、ディレクトリ情報に設定変更用の情報（設定変更用フォルダの名称）が含まれているかどうかを判断し、含まれていなければ（ステップＳ０３でＮＯ）、ステップＳ０４で、検出したディレクトリと、設定情報２００、２０１の設定ディレクトリを比較していき、ステップＳ０５で、一致する設定ディレクトリがあったかどうかを調べる。一致する設定ディレクトリがあれば（ステップＳ０５でＹＥＳ）、ステップＳ０６では、一致する設定ディレクトリの設定情報に規定された実行条件を、印刷対象ファイル１０１ａに設定した後、ステップＳ１２で、設定された実行条件で画像形成装置２に対して印刷実行指示を出力する。
【００６１】
ステップＳ０５で、一致する設定ディレクトリがなければ（ステップＳ０５でＮＯ）、ステップＳ０７で、印刷設定用ＧＵＩ（Graphical User Interface）を開いてユーザに印刷設定を行わせたのち、ステップＳ１２で、設定された実行条件で画像形成装置２に対して印刷実行指示を出力する。
【００６２】
一方、ステップＳ０３で、ディレクトリ情報に設定変更用の情報が含まれていれば（ステップＳ０３でＹＥＳ）、ステップＳ０８で、検出したディレクトリと設定情報２００、２０１の設定設定ディレクトリを比較していき、ステップＳ０９で、一致する設定ディレクトリがあったかどうかを調べる。一致する設定ディレクトリがあれば（ステップＳ１０でＹＥＳ）、ステップＳ１０では、一致する設定ディレクトリの設定情報に規定された実行条件を、印刷対象ファイル１０１ａに設定した後、ステップＳ１１で、設定変更用の情報に従い、設定された実行条件を変更する。そして、ステップＳ１２で、変更後の実行条件で画像形成装置２に対して印刷実行指示を出力する。
【００６３】
なお、ステップＳ０９で、一致する設定ディレクトリがなければ（ステップＳ０９でＮＯ）、ステップＳ０７に進み、印刷設定用ＧＵＩを開いてユーザに印刷設定を行わせたのち、ステップＳ１２に進み、設定された実行条件で画像形成装置２に対して印刷実行指示を出力する。
【００６４】
このようにこの実施形態では、記憶部１５に記憶された設定情報２００、２０１に、ディレクトリに対応する印刷実行条件が予め規定されており、この設定情報に基づいて、印刷対象ファイルのディレクトリに対応する実行条件が特定され、設定される。つまり、複数の異なる印刷実行条件で印刷を実行させる場合には、複数のディレクトリに印刷対象ファイルを記憶しておくと共に、各ディレクトリに対応する印刷実行条件を設定情報として予め設定し、記憶部１５に記憶させておけば、印刷アプリアイコンにドラッグアンドドロップされたファイルからディレクトリが検出され、そのディレクトリに対応する実行条件が自動的に設定されて、印刷が実行されることになる。従って、印刷アプリアイコンは１つで良く、実行条件の異なる複数の印刷アプリアイコンを作成・表示する必要はない。また、複数の印刷アプリアイコンから所望のものを選択する必要はないから、選択ミスもなくなる。
【００６５】
また、設定変更用フォルダを用いることで、印刷対象ファイルに設定された印刷実行条件を容易に変更することができる。
【００６６】
図６は、図２の情報処理装置１を用いてユーザが印刷対象ファイルの印刷を行う別の方法、及びそのときの情報処理装置１の動作を説明するための図である。
【００６７】
図６に示すように、記憶部１５のデータ記憶領域（「Local Disk(C：)）には、印刷対象ファイルが記憶された１個または複数個のディレクトリ１１１と、実行条件変更用のサブファイルが記憶された１個または複数個のディレクトリ１１２が設けられている。
【００６８】
前記ディレクトリ１１１は例えば「仕様書」という名称が付されており、、「仕様書１．pdf」「仕様書２．pdf」「仕様書３．pdf」等の印刷対象ファイル１１１ａの他に、メイン設定ファイル「仕様書．main」１１１ｂが格納されている。このメイン設定ファイル１１１ｂは、デフォルト設定されている印刷実行条件を変更するためのものであり、ユーザが設定した印刷実行条件が記述されたファイルである。このメイン設定ファイル１１１ｂがディレクトリ１１１内に存在することにより、ディレクトリ１１１に記憶されている印刷対象ファイル１１１ａについては、後述するように、メイン設定ファイル１１１ｂに記述された実行条件で印刷実行指示が出力されることになる。
【００６９】
一方、ディレクトリ１１２（図６では「setting」という名称が付されている）には、例えば「staple on.sub」「staple off.sub」「punch on.sub」「punch off.sub」「fold on.sub」「fold off.sub」「user1.sub」というような名称の実行条件変更用のサブ設定ファイル１１２ａが格納されている。なお、「staple onまたはoff」は、前述したようにステープル処理のオン、オフを示すものであり、そのファイルにはステープル処理をオンあるいはオフにすることが記述されている。同様に、「punch onまたはoff」は、前述したようにパンチ処理のオン、オフを示すものであり、「fold onまたはoff」は、Ｚ折りなどの折り処理のオン、オフを示すものであり、それぞれのファイルには対応する処理をオンあるいはオフにすることが記述されている。また、「user1.sub」はユーザが作成した独自の実行条件を示すものであり、例えば図７に示すように、２枚のプリントデータを１枚に印刷する２ｉｎ１処理がオン、ソート処理がオンであることが記述されている。
【００７０】
具体的な動作は次の通りである。即ち、ユーザは、ディレクトリ１１１に格納されている印刷対象ファイル１１１ａを、図６の矢印Ｃで示すように、印刷アプリアイコン１１０にドラッグアンドドロップする。ＣＰＵ１１は、ドラッグアンドドロップされたことを検出すると、ドラッグアンドドロップされたファイル１１１ａの格納先のディレクトリ１１１を、ディレクトリ情報「Ｃ：￥仕様書」から検出する。
【００７１】
印刷アプリアイコン１１０によって画像形成装置２へ出力される印刷実行条件は、常時はデフォルトに設定されている。
【００７２】
ディレクトリの検出後、ＣＰＵ１１は、検出したディレクトリ１１１内にある前記メイン設定ファイル１１１ｂを読み込み、前記デフォルトの印刷実行条件に代えて、メイン設定ファィル１１１ｂの内容に基づく印刷実行条件を前記印刷対象ファイル１１１ａに設定する。
【００７３】
そして、ＣＰＵ１０１は、設定された印刷実行条件で印刷対象ファイル１１１ａについての印刷ジョブが実行されるように、画像形成装置２へ印刷実行指示を出力する。
【００７４】
なお、検出されたディレクトリ１１１内にメイン設定ファイル１１１ｂが存在しない場合には、デフォルトの印刷実行条件が採用される。
【００７５】
メイン設定ファイル１１１ｂに記述された印刷実行条件を変更したい場合は、次のようにする。即ち、図６の矢印Ｄで示すように、ディレクトリ１１２内にある変更したい条件に対応するサブ設定ファイル１１２ａを、印刷対象ファイル１１１ａのあるディレクトリ１１１にコピーする。例えば、「ステープル処理：オフ」を「ステープル処理：オン」に変更したい場合には、「staple on.sub」というサブ設定ファイル１１２ａをコピーする。勿論、必要に応じて複数個のサブ設定ファイル１１２ａをコピーしても良い。
【００７６】
サブ設定ファイル１１２ａがコピーされた状態で、印刷対象ファイル１１１ａがドラッグアンドドロップされると、検出されたディレクトリ１１１内からメイン設定ファイル１１１ｂと共にサブ設定ファイル１１２ａも読み込まれ、メイン設定ファイル１１１ｂの内容に基づいて印刷対象ファイル１１１ａに設定された実行条件が、サブ設定ファイル１１２ａの内容に基づいて変更される。
【００７７】
なお、印刷実行指示の出力後は、ディレクトリ１１１にコピーされたサブ設定ファイル１１２ａは自動的に削除される。この削除処理により、ディレクトリ１１１をサブ設定ファイル１１２ａのコピー前の元の状態に復帰させることができる。
【００７８】
また、メイン設定ファイル１１１ｂによる実行条件の設定中、またはサブ設定ファイル１１２ａによる変更中に、設定不能な状態（禁則）が発生した場合には、表示部１４の画面にダイアログを表示し、設定を変更するか印刷を中止するかをユーザに選択させるようになっている。
【００７９】
さらにこの実施形態では、ディレクトリ１１１内に、メイン設定ファイル１１１ｂとは異なる実行条件で印刷したい特別な印刷対象ファイル１１１ａが存在する場合のために、例えば図８に示すように、その印刷対象ファイル１１１ａ（図８の例では「仕様書.pdf」）を記述しておくことで、その印刷対象ファイル１１１ａと直接に関連付けられたサブ設定ファイル１１２ａを作成しても良い。この場合、印刷対象ファイル１１１ａと直接関連付けられたサブ設定ファイル１１２ａがディレクトリ１１１にコピーされた場合、直接関連付けられた印刷対象ファイル以外の印刷対象ファイルがドラッグアンドドロップされ、サブ設定ファイル１１２ａが読み込まれたとしても、その内容は無視され、印刷実行条件が変更されることはない。ディレクトリ内にコピーされた、所定の印刷対象ファイルと直接関連付けられたサブ設定ファイル１１２ａについては、印刷終了後も自動削除されることはない。
【００８０】
なお、印刷対象ファイル１１１ａとサブ設定ファイル１１２ａとの関連付けは、関連付けたい印刷対象ファイル１１１ａをサブ設定ファイル１１２ａ内に記述する方法ではなく、印刷用アプリケーションプログラムの側で行っても良い。例えば、「staple on.sub」というサブ設定ファイル１１２ａは、所定の印刷対象ファイル１１１ａに対してのみ有効であることが、印刷用アプリケーションプログラムに設定されている場合である。
【００８１】
図９は、図６で説明した方法でユーザが印刷対象ファイル１１１ａの印刷を行うときの情報処理装置１の動作を示すフローチャートである。この動作は、ＣＰＵ１１が記憶部１５あるいはＲＯＭ１２に記憶されている印刷用アプリケーションプログラムに従って動作することにより、実行される。
【００８２】
ステップＳ２１で、印刷対象ファイル１１１ａのアイコンが、印刷アプリアイコン１１０にドラッグアンドドロップされたことを検出すると、ステップＳ２２で、ドロップされたファイル１１１ａが格納されているディレクトリ１１１を検出する。
【００８３】
次に、ステップＳ２３では、検出されたディレクトリ１１１内にあるメイン設定ファイル１１１ｂを読み込んだのち、ステップＳ２４ではメイン設定ファイル１１１ｂの内容に従って、印刷対象ファイル１１１ａに対して印刷実行条件を設定する。
【００８４】
次いで、ステップＳ２５では、同じディレクトリ１１１内に、まだ反映されていないサブ設定ファイル１１２ａが存在しているかどうかを調べ、存在していれば（ステップＳ２５でＹＥＳ）、ステップＳ２６では、サブ設定ファイル１１２ａの内容に従って、前記設定された印刷実行条件を変更する。未反映のサブ設定ファイル１１２ａが複数存在する場合にはステップＳ２５及び２６が繰り返される。
【００８５】
未反映のサブ設定ファイル１１２ａが存在しない場合には（ステップＳ２５でＮＯ）、ステップＳ２７で、その印刷対象ファイル１１１ａに直接関連付けられた未反映のサブ設定ファイル１１２ａが存在しているかどうかを調べる。存在していれば（ステップＳ２７でＹＥＳ）、ステップＳ２８で、そのサブ設定ファイル１１２ａの内容に従い実行条件を変更する。印刷対象ファイル１１１ａに直接関連付けられた未反映のサブ設定ファイル１１２ａが複数存在する場合には、ステップＳ２７及び２８が繰り返される。
【００８６】
印刷対象ファイル１１１ａに直接関連付けられた未反映のサブ設定ファイル１１２ａが存在しない場合には（ステップＳ２７でＮＯ）、ステップＳ２９で、設定されあるいは変更された印刷実行条件で、画像形成装置２に対して印刷実行指示を出力する。
【００８７】
このようにこの実施形態では、ディレクトリ内にそのディレクトリに対応する印刷実行条件が記述されたメイン設定ファイルが予め記憶されており、このメイン設定ファイルを読み込んで、印刷対象ファイルのディレクトリに対応する実行条件が特定され、設定される。つまり、複数の異なる印刷実行条件で印刷を実行させる場合には、複数のディレクトリのそれぞれに、印刷対象ファイルとメイン設定ファイルを記憶しておけば、印刷アプリアイコンにドラッグアンドドロップされた印刷対象ファイルからディレクトリが検出され、そのディレクトリに基づいてメイン設定ファイルが読み込まれ、実行条件が自動的に設定されて、印刷が実行されることになる。従って、印刷アプリアイコンは１つで良く、実行条件の異なる複数の印刷アプリアイコンを作成・表示する必要はない。また、複数の印刷アプリアイコンから所望のものを選択する必要はないから、選択ミスもなくなる。
【００８８】
また、設定変更用のサブ設定ファイルを用いることで、印刷対象ファイルに設定された印刷実行条件を容易に変更することができる。
【００８９】
以上、本発明の一実施形態を説明したが、本発明はこれらの実施形態に限定されることはない。例えば、ジョブが印刷ジョブである場合を示したが、印刷ジョブに限定されることはなく、例えば画像テータを他の外部装置へ送信するジョブ等に適用されても良い。
【図面の簡単な説明】
【００９０】
【図１】この発明の一実施形態に係る情報処理装置が用いられた印刷システムの構成を示すブロック図である。
【図２】情報処理装置の構成を示すブロック図である。
【図３】図２の情報処理装置を用いてユーザが印刷対象ファイルの印刷を行う方法、及びそのときの情報処理装置の動作を説明するための図である。
【図４】設定変更用フォルダのさらに下層に、設定変更用フォルダを作成する場合の説明図である。
【図５】図３で説明した方法でユーザが印刷対象ファイルの印刷を行うときの情報処理装置の動作を示すフローチャートである。
【図６】図２の情報処理装置を用いてユーザが印刷対象ファイルの印刷を行う別の方法、及びそのときの情報処理装置の動作を説明するための図である。
【図７】サブ設定ファイルの記述例を示す図である。
【図８】サブ設定ファイルの別の記述例を示す図である。
【図９】図６で説明した方法でユーザが印刷対象ファイルの印刷を行うときの情報処理装置の動作を示すフローチャートである。
【符号の説明】
【００９１】
１      情報処理装置
２      画像形成装置
３      ネットワーク
１１    ＣＰＵ
１２    ＲＯＭ
１４    表示部
１５    記憶部
１０１、１０２  ディレクトリ
１０１ａ、１０２ａ  印刷対象ファイル
１０１１〜１０１３  設定変更用フォルダ
１１０  印刷アプリアイコン
１１１、１１２  ディレクトリ
１１１ａ  印刷対象ファイル
１１１ｂ  メイン設定ファイル
１１２ａ  サブ設定ファイル
２００、２０１  設定情報
【図１】
2009146317.tif 000003
【図２】
2009146317.tif 000004
【図３】
2009146317.tif 000005
【図４】
2009146317.tif 000006
【図５】
2009146317.tif 000007
【図６】
2009146317.tif 000008
【図７】
2009146317.tif 000009
【図８】
2009146317.tif 000010
【図９】
2009146317.tif 000011